【事件の表示】
　平成６年特許願第２２３１０６号「写真焼付装置のミラー固定装置及びこれを用いたミラー固定方法」拒絶査定に対する審判事件［平成８年４月２日出願公開、特開平８−８７０８０］について、次のとおり審決する。
【結　論】
　本件審判の請求は、成り立たない。
【理　由】
【1】手続の経緯・本件発明
　本願は、平成6年9月19に出願されたものであり、その請求項1に係る発明は、平成11年6月2日付け手続補正書にて補正された特許請求の範囲の請求項1に記載された以下のとおりのものである。なお、平成11年11月8日付けの手続補正は、本審決と同日付けで却下された。
  「反射ミラーを保持するためのミラーフレームに対し、反射ミラーの上部２点で反射ミラーとミラーフレーム間の距離を調整自在に取付けるための２つの調整ねじと、反射ミラーの下部の１点で反射ミラーを支持する基準支持部とを備え、基準支持部は反射ミラーをミラー反射面に沿い基準支持部を通る基準線を中心として回るように回転させ、基準支持部を基点として基準線の傾きを変化させるように形成され、２つの調整ねじによりミラーフレーム間の距離を調整して基準支持部で反射ミラーの回転、傾き調整を自在として成る写真焼付装置のミラー固定装置。」
　(以下、本件発明という。)
　
【2】引用例
　原審で通知した拒絶理由において引用された特開昭63-129310号公報(以下、引用例という。)及び特開平5-333445号公報には以下の事項が記載されている。
特開昭63-129310号公報
　[1]第1頁左下欄末行「本発明は複写機等のミラー支持装置に関する。」
　[2]第1頁右下欄第8〜19行「従来は、第3図の如くミラー1の下表面を三本のネジ2,3,4に当接するようミラー1を保持バネ5で押圧支持し、三本のネジをベース板6に対して出し入れ調整することでミラー表面を所要の平面に一致させていた。また、従来のあるものは、第4図の如く、ミラーの一端面近傍の表面を突起部材7に当接し、他端面近傍の表面を二本のネジ2,3に当接し、二本のネジをベース板6に対し出し入れ調整することでミラー表面を所用の平面に一致させていた。第3図、第4図とも矢印A,A’は光線の軌跡を示す。」
　[3]第2頁左上欄第1〜10行「第3図に示した第1の従来例では三本のネジ全てが調整自在であることが、かえって平面を定める基準がなく、所要の平面に合わせるのに時間を要す欠点があった。第4図に示した第2の従来例では調整箇所は2ヶ所であるが、1本のネジをベース板6に対して出し入れすれば、ミラーは第５図に動きを示すように水平方向に対するミラーの角度θがΔθだけ変化するとともに、光線Aの当る点が水平方向にΔX変化する。」
　
特開平5-333445号公報
　【０００７】「【課題を解決するための手段】上記課題を解決する手段としてこの発明は、所定方向に送られるネガフィルムに沿って帯状複写材料を送り、その所定位置でネガフィルムの一側から光を照射し、その画像の透過光を光路がミラーとミラーで反転するように互いに対向配置されたミラーを介して複写材料に当て、上記光路をネガフィルムと複写材料とに直交する方向の基準位置から所定角度回転させ、これによってネガフィルム画像を光軸上で所望角度回転させた画像を複写材料に焼付けすることから成る画像回転焼付方法としたのである。」
　【００２１】「上記構成の焼付装置１０は、従来の焼付ユニットと同様に、ネガマスク３の位置に対応して設けられる。図２において、１はリール、２はフィルムスキャナ、４は搬送ガイド、５はフィルムスリーバ、６は焼付部である。図３に複合ミラーユニット１４の平面図を示す。この実施例の複合ミラーユニット１４は、互いに対向して設けられた２つのミラー１６、１７から成る。２つのミラー１６、１７は、それぞれ図１に示すように断面が三角形状のブロック１６ａ、１７ａの斜面に取り付けられており、両ブロックはその一端を連結されて一体の構造とされている。ブロック斜面、従って２つのミラー１６、１７は垂直方向に対してそれぞれ４５°傾いて互いに対向している。ブロック１６ａに取付けられている回転駆動モータ１５の回転軸１５ａは図示省略の軸受により軸支され、軸受はユニットの周壁に取り付けられている。」
　
【3】対比
　本件発明と引用例に記載された第2の従来例(以下、引用発明という。)とを対比する。
　引用発明における「ミラー1」、「ベース板6」、「ネジ」、「突起部7」及び「ミラー支持装置」は、請求項１に係る発明の「反射ミラー」、「ミラーフレーム」、「調整ねじ」、「基準支持部」及び「ミラー固定装置」に相当する。
　よって、両者は「反射ミラーを保持するためのミラーフレームに対し、反射ミラーの２点で反射ミラーとミラーフレーム間の距離を調整自在に取付けるための２つの調整ねじと、反射ミラーの１点で反射ミラーを支持する基準支持部とを備え、２つの調整ねじによりミラーフレーム間の距離を調整して基準支持部で反射ミラーの回転、傾き調整を自在として成るミラー固定装置。」の点で一致し、以下の相違点1〜3の点で相違する。
　
相違点1
　本件発明は、調整ねじが反射ミラーの上部で距離を調整できるように設けられ、基準支持部が反射ミラーの下部で反射ミラーを支持するように設けられているのに対して、引用発明では調整ねじが反射ミラーの他端面近傍で距離を調整できるように設けられ、基準支持部が反射ミラーの一端面近傍の表面で反射ミラーを支持するように設けられている点。
相違点2
　本件発明の基準支持部は反射ミラーをミラー反射面に沿い基準支持部を通る基準線を中心として回るように回転させ、基準支持部を基点として基準線の傾きを変化させるように形成されているのに対して、引用発明ではそのような作用が記載されていない点。
相違点3
　本件発明のミラー固定装置は写真焼き付け装置のミラー固定装置であるのに対して、引用発明は複写機のミラー固定装置である点。
　
【4】判断
相違点1
　相違点1について判断するに、調整ねじにより距離を調整できる部位と基準支持部による支持される部位の相対的関係は、引用発明においても本件発明と同様である。そして、それらの部位を上部と下部に限定したことによる技術的意義は認められず、調整ねじにより距離を調整できる部位と基準支持部による支持される部位を、上部と下部に規定した点は単なる設計上の事項にすぎない。
　
相違点2
　次に、相違点2について検討する。引用発明においては、ネジ2とネジ3とによってミラー1のミラー表面を所要の平面に合わせる。そこで、最初に第1段階としてネジ2を調整し、次に第2段階としてネジ3を調整する場合を検討すると、第1段階において、ネジ2を調整することにより、ネジ3と基準支持部(突起部材7)とを通る軸線を中心として回るように回転自在に調整される。そして、第2段階において、ネジ3を調整することにより、基準支持部(突起部材7)を起点として前記軸線のミラーフレーム(ベース板6)に対する傾が調整される。ここで軸線は、本件発明の基準軸線に対応するから、引用発明においても、ネジ2及びネジ3をベース板6に対し出し入れ調整する際、各ネジの操作を順次行うことにより、基準支持部は反射ミラーをミラー反射面に沿い基準支持部を通る基準線を中心として回るように回転させ、次に基準支持部を基点として基準線の傾きを変化させる。ここで、ネジ2及びネジ3は同時に操作することも、順次操作することも、引用例に接した当業者は任意に選択できるから、引用発明において、反射ミラーをミラー反射面に沿い基準支持部を通る基準線を中心として回るように回転させ、基準支持部を基点として基準線の傾きを変化させることができることは当業者に明らかである。よって、基準支持部は反射ミラーをミラー反射面に沿い基準支持部を通る基準線を中心として回るように回転させ、基準支持部を基点として基準線の傾きを変化させるように形成した点は何ら格別の技術事項とは認められない。
　なお、審判請求理由補充書第4頁第18〜2行において、引用発明の突起部材7はあらゆる方向に回転可能に支持しているのに対して本件発明の基準支持部は一定方向の基準線を中心としてのみ回転する旨主張しているが、本件の明細書の実施例を説明した「【００１５】基準支持部Ｂは、ミラーフレーム１７ａの下辺中央付近に設けた舌片１７２と板ばね１７３と、舌片１７２にねじ係合する基準ブラケット１７４とから成る。１７５は把手であり、図示のように反射ミラーの上下２ヶ所の適当な位置に接着固定されている。【００１６】上記の如き支持固定手段を用いて反射ミラー１７は次のように調整してミラーフレーム１７ａに取り付けられる。把手１７５をミラーフレーム１７ａの内側からつまんでミラーフレーム１７ａに沿うように第１ミラー（１７）を引き込み、第１ミラー（１７）の下端を図１の（ｃ）のように板ばね１７３と基準ブラケット１７４の間に差し込み、ミラーの上辺をミラーフレーム１７ａに当接させる。【００１７】この状態で、回転ミラー１６（図５）から送られてくる画像光を第１ミラー（１７）で屈折させて感光材料面に相当する面での画像の中心位置及びそのずれを基準画像に対して比較し、両者が一致するように第１ミラー（１７）を調整する。【００１８】その際、ミラー面の中心点Ｏを通る基準線ＣL を中心に回転角α、傾きβの方向に第１ミラー（１７）を取付調整ねじ１７１を用いて微小変位させて調整する。第１ミラー（１７）の傾きは、傾きβのずれの大きさに応じて２つの調整ねじ１７１の両方を回転させて調整する。回転角αは、その角度αのずれに応じて２つの調整ねじ１７１のいずれか一方を又は２つのねじをねじ込量が異なるように回転させて調整する。【００１９】上記調整の際に、回転角αを調整する場合は、第１ミラー（１７）は基準ブラケット１７４の周りを図るように回転し、傾きβの場合は基準ブラケット１７４の頭部を基点にして傾きが変化するというように、基準ブラケット１７４を基準にして調整が行なわれるのである。そして、かかる調整は、反射ミラー１７の上部の２つの調整ねじ１７１のみを回すだけで行なわれるため、調整作業が容易であり、かつ正確な調整が短時間に行なえるのである。」という記載からみて、本件発明は、2つのねじのねじ込み量が異なる場合や、いずれか一方のねじを調整する場合を許容するものであるから、本件発明の基準支持部は一定方向の基準線を中心としてのみ回転するという主張は誤りである。
　
相違点3
　最後に相違点3について検討するに、ネガフィルムの一側から光を照射し、その画像の透過光を光路がミラーとミラーで反転するように互いに対向配置されたミラーを介して複写材料に当て、ネガフィルム画像を複写材料に焼付けすることから成る画像回転焼付する写真焼付装置は特開平5-333445号公報において公知である。従って、引用発明のミラー支持装置を写真焼付装置のミラー固定装置とした点に、格別の技術的困難性は認められない。
　本件発明の相違点1〜3に係る構成によりもたらされる効果は、前記公知の技術から予測される範囲のものである。
　よって、本件発明は、特開昭63-129310号公報及び特開平5-333445号公報に記載された発明に基づいて当業者が容易に発明できたものと認めらる。
　
【5】むすび
　以上のとおり、本件の請求項１に係る発明は、特開昭63-129310号公報及び特開平5-333445号公報に記載された発明に基づいて当業者が容易に発明できたものであるから特許法第29条第2項の規定により特許を受けることができない。
　よって、結論のとおり審決する。